(57)【要約】【課題】扉の外表面に露出することなく扉取付部の外観をすっきりさせるとともに、扉の取付高さ等の調整を、扉を取り外すことなく、簡単に行うことができ、さらに、内開き、外開き及び両開きのいずれ扉にも対応可能な扉の支持構造を提供すること。【解決手段】上下に設けた支軸７、９を介して扉Ｄを開閉可能に支持する扉Ｄの支持構造において、下方の支軸７を固定側に設けるとともに、下方の支軸７によって支持される扉の支持金具１を、扉Ｄに埋設して設けられるケース本体２と、下方の支軸７が嵌挿されるメタル部材３と、このメタル部材を嵌挿し、横移動用ねじ５の回動操作によってメタル部材３と共に扉Ｄの横方向に移動調節可能にする横移動ケース４と、メタル部材３の頂部３４に当接してケース本体２に対するメタル部材３の没入量を調節可能にするカム６とで構成する。【選択図】　図４
2004060145.tif 000002
【特許請求の範囲】
【請求項１】
上下に設けた支軸を介して扉を開閉可能に支持する扉の支持構造において、下方の支軸を固定側に設けるとともに、該下方の支軸によって支持される扉の支持金具を、扉に埋設して設けられるケース本体と、下方の支軸が嵌挿されるメタル部材と、該メタル部材を嵌挿し、横移動用ねじの回動操作によってメタル部材と共に扉の横方向に移動調節可能にする横移動ケースと、メタル部材の頂部に当接してケース本体に対するメタル部材の没入量を調節可能にするカムとで構成したことを特徴とする扉の支持構造。
【請求項２】
カムのメタル部材の頂部との当接面を、複数の平坦面からなる略多角形状に形成したことを特徴とする請求項１記載の扉の支持構造。
【請求項３】
上方の支軸を扉に設けるとともに、該上方の支軸を支持する固定側の支承金具を、上方の支軸が嵌挿されるメタル部材を扉の横方向及び幅方向に移動調節可能にしたことを特徴とする請求項１又は２記載の扉の支持構造。
【発明の詳細な説明】
【０００１】
【発明の属する技術分野】
本発明は、扉の支持構造に関し、特に、扉の外表面に露出することなく扉取付部の外観をすっきりさせるとともに、扉の取付高さ等の調整を、扉を取り外すことなく、簡単に行うことができ、さらに、内開き、外開き及び両開きのいずれ扉にも対応可能な扉の支持構造に関するものである。
【０００２】
【従来の技術】
従来、部屋の出入口部に取り付けられる扉は、開口枠と扉間に蝶番を取り付けて開閉可能にされている。
この蝶番は、通常、２枚の蝶番片を１本の軸部にて開閉可能に枢着し、蝶番片を、開口枠と扉にそれぞれビス止めするようにしている。
【０００３】
【発明が解決しようとする課題】
ところで、蝶番によって扉を取り付けると、蝶番の軸部等が扉の外表面に露出し、扉取付部の外観がすっきりしないだけでなく、扉の取付高さ等の調整を行う場合には、扉をいちいち取り外して行う必要があって手数を要し、さらに、内開き、外開き及び両開きのいずれ扉にも対応可能なものはなかった。
【０００４】
本発明は、上記従来の蝶番による扉の取付構造の有する問題点に鑑み、扉の外表面に露出することなく扉取付部の外観をすっきりさせるとともに、扉の取付高さ等の調整を、扉を取り外すことなく、簡単に行うことができ、さらに、内開き、外開き及び両開きのいずれ扉にも対応可能な扉の支持構造を提供することを目的とする。
【０００５】
【課題を解決するための手段】
上記目的を達成するため、本発明の扉の支持構造は、上下に設けた支軸を介して扉を開閉可能に支持する扉の支持構造において、下方の支軸を固定側に設けるとともに、該下方の支軸によって支持される扉の支持金具を、扉に埋設して設けられるケース本体と、下方の支軸が嵌挿されるメタル部材と、該メタル部材を嵌挿し、横移動用ねじの回動操作によってメタル部材と共に扉の横方向に移動調節可能にする横移動ケースと、メタル部材の頂部に当接してケース本体に対するメタル部材の没入量を調節可能にするカムとで構成したことを特徴とする。
【０００６】
この扉の支持構造は、扉を取り外すことなく、横移動用ねじを回動操作することによって、横移動ケースを移動させ、横移動ケースと共に、下方の支軸が嵌挿されるメタル部材を扉の横方向に移動調節し、扉の横方向の取付位置の調整を行うことができ、また、カムを回動操作することによって、ケース本体に対するメタル部材の没入量を調節し、扉の取付高さの調整を行うことができる。
【０００７】
この場合において、カムのメタル部材の頂部との当接面を、複数の平坦面からなる略多角形状に形成することができる。
【０００８】
これにより、カムが自由に回動することを防止し、メタル部材のケース本体に対する没入量を安定的に保持することができる。
【０００９】
また、上方の支軸を扉に設けるとともに、該上方の支軸を支持する固定側の支承金具を、上方の支軸が嵌挿されるメタル部材を扉の横方向及び幅方向に移動調節可能にすることができる。
【００１０】
これにより、上方の支軸が嵌挿されるメタル部材を扉の横方向及び幅方向に移動調節し、扉の横方向及び幅方向の取付位置の調整を行うことができる。
【００１１】
【発明の実施の形態】
以下、本発明の扉の支持構造の実施の形態を図面に基づいて説明する。
【００１２】
図１〜図１５に、本発明の扉の支持構造の一実施例を示す。
この扉の支持構造は、図１に示すように、下方の支軸７を床面、開口枠等の固定側Ｋに、下方の支軸７によって支持される扉Ｄの支持金具１を扉Ｄに、上方の支軸９を扉Ｄに、上方の支軸９を支持する支承金具８を開口枠等の固定側Ｋに、それぞれ設けるようにしたものである。
【００１３】
このうち、下方の支軸７は、図２〜図３に示すように、支軸本体７１と、Ｌ状の取付部材７２と、支軸本体７１の押さえ片７３とからなり、Ｌ状の取付部材７２を固定側Ｋにビス止めする際に、ビス止めするビスを用いて、支軸本体７１の底片７１ａを押さえ片７３を介して固定し、全体を一体化するようにする。
【００１４】
この場合において、押さえ片７３には、支軸本体７１を挿通する透孔７３ａと、支軸本体７１の底片７１ａを収容する凹部７３ｂとを形成し、支軸本体７１を安定して固定できるようにするとともに、支軸７の上面７３ｃが嵩高くならないようにする。
【００１５】
この下方の支軸７によって支持される扉Ｄに設ける支持金具１は、図４〜図９に示すように、扉に埋設して設けられるケース本体２と、下方の支軸７が嵌挿されるメタル部材３と、このメタル部材３を嵌挿し、横移動用ねじ５の回動操作によってメタル部材３と共に扉Ｄの横方向に移動調節可能にする横移動ケース４と、メタル部材３の頂部３４に当接してケース本体２に対するメタル部材３の没入量を調節可能にするカム６とで構成されている。
【００１６】
この扉Ｄの支持金具１を、ケース本体２を扉Ｄに埋設して設け、固定側Ｋに設けた下方の支軸７によって支持することにより、扉Ｄを取り外すことなく、横移動用ねじ５を回動操作することによって、横移動ケース４を移動させ、横移動ケース４と共に、下方の支軸７が嵌挿されるメタル部材３を扉Ｄの横方向（図４の左右方向）に移動調節し、扉Ｄの横方向の取付位置の調整を行うようにし、また、カム６を回動操作することによって、ケース本体２に対するメタル部材３の没入量を調節し、扉Ｄの取付高さの調整を行うようにする。
【００１７】
この場合において、ケース本体２は、図４〜図５に示すように、Ｌ状の取付部材２１と、箱状のケース部２２とからなる。
【００１８】
メタル部材３は、図６に示すように、中心に下方の支軸７が嵌挿される支軸嵌挿穴３１と、上部に横移動用ねじ５が貫通する横移動用ねじ貫通孔３２とを有する。
そして、メタル部材３は、その底面３３と支軸７の上面７３ｃが摺接することにより、扉Ｄを支持するようにする。
【００１９】
横移動ケース４は、図７に示すように、横移動用ねじ５が螺合する雌ねじ部４１と、ケース本体２のケース部２２に形成した凹溝に嵌合して横移動ケース４を横移動用ねじ５の回動操作によって扉Ｄの横方向に安定して移動されるための凸部４２と、このメタル部材３が上下方向に移動可能に嵌挿するメタル部材嵌挿孔４３とを有する。
【００２０】
横移動用ねじ５は、図８（ａ）、（ｂ）に示すように、頭部の着座面に凹部５ａを有し、図４に示すように、この凹部５ａにばね５２により付勢した、図８（ｃ）、（ｄ）に示す回転防止板５１の凸部５１ａを嵌合させることにより、横移動用ねじ５が自由に回動することを防止するようにする。
また、横移動用ねじ５は、図４に示すように、前端にＥリング５３を嵌め、横移動用ねじ５の抜け止めをするようにする。
【００２１】
カム６は、図９に示すように、メタル部材３の頂部３４との当接面６１を、カム６の回転軸からの距離が互いに異なる複数の平坦面（本実施例においては、４つの平坦面）からなる略多角形状に形成するようにしている。
これにより、カム６の当接面６１がメタル部材３の頂部３４に当接している状態において、カム６が自由に回動することを防止し、メタル部材３のケース本体２に対する没入量を安定的に保持することができるようにする。
【００２２】
扉Ｄに設ける上方の支軸９は、特に限定されるものではないが、ばね等によって支軸９を付勢することにより、出没操作を行うことができる構成のもの（例えば、特開２００１−３５５３７０に開示のもの）を用いることが好ましい。
【００２３】
この扉Ｄに設けた上方の支軸９を支持する固定側に設ける支承金具８は、図１０〜図１６に示すように、上方の支軸９が嵌挿されるメタル部材８４を扉Ｄの横方向及び幅方向に移動調節可能に構成されている。
【００２４】
これにより、上方の支軸９が嵌挿されたメタル部材８４を扉Ｄの横方向及び幅方向に移動調節し、扉Ｄの横方向及び幅方向の取付位置の調整を行うことができるようにする。
【００２５】
この支承金具８は、開口枠等の固定側Ｋに埋設して設けられるケース本体８１と、回動操作部材８２、８３と、メタル部材８４と、扉Ｄの横方向の取付位置の調整を行う第１摺動部材８５と、扉Ｄの幅方向の取付位置の調整を行う第２摺動部材８６と、第２摺動部材８６の補助部材８７と、ケース蓋８８とで構成されている。
【００２６】
この場合において、ケース本体８１は、図１０〜図１１に示すように、第１摺動部材８５の回動操作部材８２の装着部８１ａと、この装着部８１ａの中心に形成した操作孔８１ｂと、第２摺動部材８６の補助部材８７の装着部８１ｃと、この装着部８１ｃの中心に形成した操作孔８１ｄと、メタル部材８４の露出孔８１ｅとを有する。
【００２７】
回動操作部材８２、８３は、図１２に示すように、偏心したカム部８２ａ、８３ａと、ケース本体８１に形成した回動操作部材８２の装着部８１ａ及び第２摺動部材８６の補助部材８７に形成した回動操作部材８３の装着部８７ａにそれぞれ形成した嵌合部と嵌合する嵌合部８２ｂ、８３ｂとを有する。
この回動操作部材８２、８３は、それぞれの装着部８１ａ、８７ａに装着された状態では、回動操作部材８２、８３のカム部８２ａ、８３ａの中心に装着されたばね（図示省略）によって、嵌合部同士の嵌合状態が維持され、回動操作部材８２、８３が自由に回動することを防止されるとともに、操作時には、前記ばねの付勢力に抗して、回動操作部材８２、８３を若干押し上げるようにすることにより、嵌合部同士の嵌合状態を解除し、回動操作を行うことができるようにされている。
【００２８】
メタル部材８４は、本実施例においては、扉Ｄの幅方向の取付位置の調整を行う第２摺動部材８６のメタル部材装着穴８６ｃに装着するようにしている。
【００２９】
扉Ｄの横方向の取付位置の調整を行う第１摺動部材８５は、図１３に示すように、回動操作部材８２の偏心したカム部８２ａが嵌挿されるカム孔８５ａと、第２摺動部材８６との連結部となる突出軸８５ｂとを有する。
【００３０】
扉Ｄの幅方向の取付位置の調整を行う第２摺動部材８６は、図１４に示すように、回動操作部材８３の偏心したカム部８３ａが嵌挿されるカム孔８６ａと、第１摺動部材８５との連結部となる第１摺動部材８５の突出軸８５ｂが嵌挿される軸嵌挿孔８６ｂと、メタル部材８４が装着されるメタル部材装着穴８６ｃとを有し、メタル部材装着穴８６ｃの内周面には、メタル部材８４の回り止め突起８６ｄを形成するようにする。
【００３１】
第２摺動部材８６の補助部材８７は、図１５に示すように、第２摺動部材８６の補助部材８７の装着部８１ｃに摺動可能に配設され、第２摺動部材８６の回動操作部材８３の装着部８７ａと、この装着部８７ａの中心に形成した操作孔８７ｂとを有する。
【００３２】
そして、この支承金具８は、回動操作部材８２、８３のカム部８２ａ、８３ａの中心に装着されたばねの付勢力に抗して、回動操作部材８２、８３を若干押し上げるようにすることにより、嵌合部同士の嵌合状態を解除し、回動操作を行うことにより、第１摺動部材８５及び第２摺動部材８６を介して、上方の支軸９が嵌挿されたメタル部材８４を、扉Ｄの横方向及び幅方向に移動調節し、扉Ｄの横方向及び幅方向の取付位置の調整を行うことができるものである。
【００３３】
以上、本発明の扉の支持構造について、その実施例を説明したが、本発明は上記実施例に記載した構成に限定されるものではなく、その趣旨を逸脱しない範囲において適宜その構成を変更することができるものである。
【００３４】
【発明の効果】
本発明の扉の支持構造によれば、扉を取り外すことなく、横移動用ねじを回動操作することによって、横移動ケースを移動させ、横移動ケースと共に、下方の支軸が嵌挿されるメタル部材を扉の横方向に移動調節し、扉の横方向の取付位置の調整を行うことができ、また、カムを回動操作することによって、ケース本体に対するメタル部材の没入量を調節し、扉の取付高さの調整を行うことができ、扉の取付高さ等の調整を、扉を取り外すことなく、簡単に行うことができる。
また、この扉の支持構造は、扉の支持金具を扉に埋設して設けるため、部材が扉の外表面に露出することなく、扉取付部の外観をすっきりさせることができるとともに、内開き、外開き及び両開きのいずれ扉にも対応可能である。
【００３５】
また、カムのメタル部材の頂部との当接面を、複数の平坦面からなる略多角形状に形成することにより、カムが自由に回動することを防止し、メタル部材のケース本体に対する没入量を安定的に保持することができる。
【００３６】
また、上方の支軸を扉に設けるとともに、該上方の支軸を支持する固定側の支承金具を、上方の支軸が嵌挿されるメタル部材を扉の横方向及び幅方向に移動調節可能にすることにより、上方の支軸が嵌挿されるメタル部材を扉の横方向及び幅方向に移動調節し、扉の横方向及び幅方向の取付位置の調整を行うことができる。
【図面の簡単な説明】
【図１】本発明の扉の支持構造を適用した扉及び開口枠を示す正面図である。
【図２】下方の支軸を示し、（ａ）は正面図、（ｂ）は側面図である。
【図３】下方の支軸を示し、（ａ）は支軸本体の平面図、（ｂ）は支軸本体の正面図、（ｃ）は押さえ片の平面図である。
【図４】扉の支持金具を示す正面断面図である。
【図５】扉の支持金具を示し、（ａ）は側面図、（ｂ）は背面図、（ｃ）は底面図である。
【図６】メタル部材を示し、（ａ）は正面図、（ｂ）は一部破断した側面図、（ｃ）は底面図である。
【図７】横移動ケースを示し、（ａ）は一部破断した正面図、（ｂ）は側面図である。
【図８】（ａ）は横移動用ねじの正面図、（ｂ）は横移動用ねじの側面図、（ｃ）は回転防止板の正面図、（ｄ）は回転防止板の側面図である。
【図９】カムを示し、（ａ）は正面図、（ｂ）は側面図である。
【図１０】支承金具を示し、（ａ）は底面図、（ｂ）は側面図である。
【図１１】ケース本体を示し、（ａ）は平面図、（ｂ）は側面図である。
【図１２】回動操作部材を示し、（ａ）は底面図、（ｂ）は正面図、（ｃ）は平面図である。
【図１３】第１摺動部材を示し、（ａ）は平面図、（ｂ）は正面図である。
【図１４】第２摺動部材を示し、（ａ）は平面図、（ｂ）は側面図である。
【図１５】第２摺動部材の補助部材を示し、（ａ）は平面図、（ｂ）は正面図である。
【図１６】ケース蓋を示す平面図である。
【符号の説明】
Ｄ　　扉
Ｋ　　開口枠
１　　扉の支持金具
２　　ケース本体
３　　メタル部材
４　　横移動ケース
５　　横移動用ねじ
６　　カム
７　　下方の支軸
７１　支軸本体
７２　取付部材
７３　押さえ片
８　　支承金具
８１　ケース本体
８２　回動操作部材
８３　回動操作部材
８４　メタル部材
８５　第１摺動部材
８６　第２摺動部材
８７　補助部材
８８　ケース蓋
９　　上方の支軸
【図１】
2004060145.tif 000003
【図２】
2004060145.tif 000004
【図３】
2004060145.tif 000005
【図４】
2004060145.tif 000006
【図５】
2004060145.tif 000007
【図６】
2004060145.tif 000008
【図７】
2004060145.tif 000009
【図８】
2004060145.tif 000010
【図９】
2004060145.tif 000011
【図１０】
2004060145.tif 000012
【図１１】
2004060145.tif 000013
【図１２】
2004060145.tif 000014
【図１３】
2004060145.tif 000015
【図１４】
2004060145.tif 000016
【図１５】
2004060145.tif 000017
【図１６】
2004060145.tif 000018